(57)【要約】【課題】壁面からの化粧プレートの突出量を比較的小さくすることができるインターホン装置を提供する。【解決手段】器体１は、埋込型の配線器具用のスイッチボックスＳＢ内に後部を収める形で、取付ねじを用いて当該スイッチボックスＳＢに固定される。器体１は、前面に開口部を有する箱状のボディ２と、ボディ２の前面に覆着されるカバー３とで構成される。ボディ２は、開口部の周縁から互いに離れる向きに延出された取付板１０を有する。取付板１０には、取付ねじを挿通するボックス用孔１１が形成されるとともに、埋込型の配線器具用の化粧プレートＰを固定するためのプレート用孔１３が形成される。カバー３は、化粧プレートＰに開口した窓孔Ｐｈ内に収まり、かつ壁面Ｗｓからの前端面の高さを壁面Ｗｓからの化粧プレートＰの窓孔Ｐｈの周縁の高さと揃えるように、重ね合せ片１４を取付板１０における基部側の一部に重ねて覆着される。【選択図】図１
2007028541.tif 000002
【特許請求の範囲】
【請求項１】
壁面に取り付けられ、子機との間で通話が可能なインターホン装置であって、壁内に設置された埋込型の配線器具用のスイッチボックス内に後部を収める形で、当該スイッチボックスに設けたねじ孔に螺合する取付ねじを用いて当該スイッチボックスに固定される器体を備え、器体は、前面に開口部を有する箱状に形成されたボディとボディの前面に覆着されるカバーとで構成され、ボディは、開口部の周縁から互いに離れる向きに延出された取付板を有し、取付板には、取付ねじを挿通するボックス用孔が形成されるとともに、取付板の前面を覆う埋込型の配線器具用の化粧プレートを固定するためのプレート用孔が形成されており、カバーは、化粧プレートに開口した窓孔内に収まり、かつ壁面からの前端面の高さを壁面からの化粧プレートの窓孔の周縁の高さと揃えるように、周部に設けた重ね合せ片を取付板における基部側の一部に重ねて覆着されていることを特徴とするインターホン装置。
【請求項２】
前記取付板の前面において前記カバーと重なる部位には、前記ボディの開口部の周縁に沿うように取付板の全長にわたって延長されたリブが立設されており、当該リブは、前記ボックス用孔の周囲においてはボックス用孔の周縁に沿って形成されていることを特徴とする請求項１記載のインターホン装置。
【請求項３】
前記カバーは、前記取付板の前記ボックス用孔に対応する各部位に、ボックス用孔の周縁に沿って切り欠かれた切欠部がそれぞれ形成されていることを特徴とする請求項１または請求項２に記載のインターホン装置。
【請求項４】
前記重ね合せ片に取り付けられることにより少なくとも重ね合せ片の前面と前記切欠部とを覆う化粧板を備えることを特徴とする請求項３記載のインターホン装置。
【請求項５】
前記器体は、３個用の取付枠を２個まで連接可能なスイッチボックスに取付可能な寸法に形成されていることを特徴とする請求項１ないし請求項４のいずれか１項に記載のインターホン装置。
【請求項６】
子機との間で通話が可能な親機に対して信号線を用いて接続され、当該親機を介して子機との間で通話可能に構成されていることを特徴とする請求項１ないし請求項５のいずれか１項に記載のインターホン装置。
【発明の詳細な説明】
【技術分野】
【０００１】
本発明は、壁面に取り付けられ、子機との間で通話が可能なインターホン装置に関するものである。
【背景技術】
【０００２】
従来から、この種のインターホン装置として、壁面に取付金具を固定し、取付金具に設けた掛止爪に器体の後面に設けた掛止孔を係合させるとともに、取付ねじを用いて器体を取付金具に固定することにより壁面に取り付けられるものが提供されている（たとえば特許文献１参照）。このインターホン装置は、壁面から器体の全体が露出するから、壁面からの器体の突出量が比較的大きく見映えがよくない。
【０００３】
これに対して、壁面からの器体の突出量を小さく抑えるために、壁面に対して器体の後部が埋め込まれた形で取り付けられる埋込型のインターホン装置が知られている（たとえば特許文献２参照）。このインターホン装置の器体１は、図１３に示すように、前面に開口部を有する箱状に形成されたボディ２と、ボディ２の前面に覆着されるカバー３とで構成され、壁面に当接する保持枠５４をボディ２の開口部の周囲に有している。
【０００４】
さらに、埋込型のインターホン装置においては、他の埋込型の配線器具との外観上の統一感を出すとともに、取り付けに用いる部材の低コスト化を図るために、一般に普及している埋込型の配線器具用のスイッチボックスを用いて壁面に取付可能とすることが考えられている。すなわち、インターホン装置の器体の後部をスイッチボックス内に収める形で、スイッチボックスに設けたねじ孔に螺合する取付ねじを用いてインターホン装置をスイッチボックスに固定する。ここで、特許文献２のインターホン装置において、取付ねじ用のボックス用孔を保持枠５４に設ければ、器体１をスイッチボックスに直接固定できるから、埋込型の配線器具をスイッチボックスに固定するために用いられる取付枠が不要となる。
【特許文献１】実開平５−３８５９６号公報（第７−８頁）
【特許文献２】特開２００３−６９６８１号公報（第３頁、図１）
【発明の開示】
【発明が解決しようとする課題】
【０００５】
ところで、スイッチボックスを用いて埋込型の配線器具を壁面に取り付ける場合には、枠状に形成された埋込型の配線器具用の化粧プレートを前記取付枠に固定することによって、取付枠の前面を覆うことが一般的である。
【０００６】
しかし、特許文献２に記載のインターホン装置では保持枠５４も含めてボディ２の前面の全域に対してカバー３が覆着されているから、このインターホン装置をスイッチボックスに取付可能とした場合には、化粧プレートはカバー３に対して取り付けられることになる。化粧プレートをカバー３に取り付けると、保持枠５４に対してカバー３と化粧プレートとが前後方向に重なることにより、壁面からの化粧プレートの突出量が比較的大きくなり見映えが悪くなる。
【０００７】
本発明は上記事由に鑑みて為されたものであり、壁面からの化粧プレートの突出量を比較的小さくすることができるインターホン装置を提供することを目的とする。
【課題を解決するための手段】
【０００８】
請求項１の発明は、壁面に取り付けられ、子機との間で通話が可能なインターホン装置であって、壁内に設置された埋込型の配線器具用のスイッチボックス内に後部を収める形で、当該スイッチボックスに設けたねじ孔に螺合する取付ねじを用いて当該スイッチボックスに固定される器体を備え、器体が、前面に開口部を有する箱状に形成されたボディとボディの前面に覆着されるカバーとで構成され、ボディが、開口部の周縁から互いに離れる向きに延出された取付板を有し、取付板には、取付ねじを挿通するボックス用孔が形成されるとともに、取付板の前面を覆う埋込型の配線器具用の化粧プレートを固定するためのプレート用孔が形成されており、カバーが、化粧プレートに開口した窓孔内に収まり、かつ壁面からの前端面の高さを壁面からの化粧プレートの窓孔の周縁の高さと揃えるように、周部に設けた重ね合せ片を取付板における基部側の一部に重ねて覆着されていることを特徴とする
この構成によれば、カバーは、取付板において化粧プレートに囲まれた領域に収まるように取付板の一部に重ねて覆着されているから、カバーと重なることなく化粧プレートを取付板に取り付けることができる。結果的に、壁面からの化粧プレートの突出量を比較的小さくすることができ見映えがよい。しかも、壁面からのカバーの前端面の高さを壁面からの化粧プレートの窓孔の周縁の高さと揃えているから、さらに見映えがよくなる。また、ボックス用孔およびプレート用孔がボディ側に形成されているから、器体をスイッチボックスに固定したり器体に化粧プレートを固定したりする際にカバーが変形することはないという利点もある。
【０００９】
請求項２の発明は、請求項１の発明において、前記取付板の前面において前記カバーと重なる部位には、前記ボディの開口部の周縁に沿うように取付板の全長にわたって延長されたリブが立設されており、当該リブが、前記ボックス用孔の周囲においてはボックス用孔の周縁に沿って形成されていることを特徴とする。
【００１０】
この構成によれば、取付板においてカバーと重なる部位がリブにより補強されており変形し難いから、取付板とカバーとの間には隙間が生じ難いという利点がある。また、ボックス用孔の周囲もリブにより補強されているから、取付ねじを締め付けた際にボックス用孔の周囲が変形することも防止できる。
【００１１】
請求項３の発明は、請求項１または請求項２の発明において、前記カバーが、前記取付板の前記ボックス用孔に対応する各部位に、ボックス用孔の周縁に沿って切り欠かれた切欠部がそれぞれ形成されていることを特徴とする。
【００１２】
この構成によれば、ボディにカバーを覆着した状態でも切欠部を通してボックス用孔が露出するから、ボディにカバーを覆着したままでスイッチボックスに対して器体を着脱することができ、壁面への器体の着脱の作業が比較的容易になる。
【００１３】
請求項４の発明は、請求項３の発明において、前記重ね合せ片に取り付けられることにより少なくとも重ね合せ片の前面と前記切欠部とを覆う化粧板を備えることを特徴とする。
【００１４】
この構成によれば、器体をスイッチボックスに固定した後に化粧板を重ね合せ片に取り付けることによって、取付ねじが化粧板に覆われることになりインターホン装置の見映えがよくなる。
【００１５】
請求項５の発明は、請求項１ないし請求項４の発明において、前記器体が、３個用の取付枠を２個まで連接可能なスイッチボックスに取付可能な寸法に形成されていることを特徴とする。
【００１６】
この構成によれば、３個用の取付枠を３個まで連接可能なスイッチボックスを用いてインターホン装置を設置した場合に、３個用の取付枠を用いて取付可能な他の埋込型の配線器具をインターホン装置と共に当該スイッチボックスに取り付けることができる。すなわち、インターホン装置および他の配線器具の設置時に壁面に設ける孔が１箇所ですむから施工が容易になる。
【００１７】
請求項６の発明は、請求項１ないし請求項５の発明において、子機との間で通話が可能な親機に対して信号線を用いて接続され、当該親機を介して子機との間で通話可能に構成されていることを特徴とする。
【発明の効果】
【００１８】
本発明は、カバーが取付板において化粧プレートに囲まれた領域に収まるように取付板の一部に重ねて覆着されているから、カバーと重なることなく化粧プレートを取付板に取り付けることができる。結果的に、壁面からの化粧プレートの突出量を比較的小さくすることができ見映えがよい。しかも、壁面からのカバーの前端面の高さを壁面からの化粧プレートの窓孔の周縁の高さと揃えているから、さらに見映えがよくなる。また、ボックス用孔およびプレート用孔がボディ側に形成されているから、器体をスイッチボックスに固定したり器体に化粧プレートを固定したりする際にカバーが変形することはないという利点もある。
【発明を実施するための最良の形態】
【００１９】
本実施形態では、宅内の壁面に取り付けられ、図２に示すように、宅外に設置された子機Ｂに対して信号線Ｌｓを用いて接続されることにより、子機Ｂとの間で通話可能なインターホンシステムを構築するインターホン装置を親機Ａとし、主として親機Ａの構成について説明する。この親機Ａはモニタを備えており、来訪者を撮像するカメラ（図示せず）が設けられた子機Ｂに接続されることにより、子機Ｂのカメラで撮像された画像を表示することができる。また、本実施形態のインターホンシステムでは、親機Ａとは別の室内に設置されたインターホン装置を副親機Ｃとし、信号線Ｌｓを用いて副親機Ｃと親機Ａとを接続することにより、親機Ａと副親機Ｃとの間で内線通話を行うことや、親機Ａを介して副親機Ｃと子機Ｂとの間で通話を行うことを可能としている。
【００２０】
以下では、親機Ａを壁面Ｗｓに取り付けた状態を示す図７（ａ）の上下左右を上下左右とし、図１を参照して親機Ａの構成を説明する。
【００２１】
親機Ａは、前面に開口部を有する箱状に形成されたボディ２と、ボディ２の前面に覆着されるカバー３とで構成される器体１を備え、子機Ｂまたは副親機Ｃからの呼出音の出力や子機Ｂまたは副親機Ｃとの通話に用いるスピーカ４と、子機Ｂまたは副親機Ｃとの通話に用いるマイクロフォン５と、モニタとしてのＬＣＤ６と、プリント基板に種々の電気部品が実装されて成る回路ブロック７とが器体１内に収納された構成を有する。さらに、回路ブロック７に設けた複数個のスイッチＳＷ１〜ＳＷ５を操作するための複数個のハンドルＨ１〜Ｈ５がカバー３に設けられる。
【００２２】
ところで、本実施形態の親機Ａは、壁内に設置された埋込型の配線器具用のスイッチボックスＳＢを用いて壁面Ｗｓに取り付けられるものである。スイッチボックスＳＢは、前面に取付窓が開口した箱状に形成されており、図３に示すように、上下方向に対向する一対の内側面には、それぞれ器体１をスイッチボックスＳＢに固定する取付ねじ（図示せず）用のねじ孔８を有した器具固定突起９が複数個ずつ突設されている。ここで、器具取付突起９はスイッチボックスＳＢの取付窓からねじ孔８が前方に露出するように、スイッチボックスＳＢの取付窓内に設けられる。壁材ＷにおいてスイッチボックスＳＢに対応する部分には矩形状の施工孔Ｗｈが開設される。施工孔Ｗｈは、スイッチボックスＳＢの取付窓より小さく、かつ器具固定突起９に設けたねじ孔８を全て前方に露出させる大きさに形成される。
【００２３】
親機Ａは、この施工孔Ｗｈを通して前方からスイッチボックスＳＢに取り付けられるのであって、器体１の後部を前記スイッチボックスＳＢ内に収納可能な形状および寸法に設定されている。また、本実施形態では、器体１は１連用の取付枠（図示せず）を３個まで取付可能なスイッチボックスＳＢに対応する大きさに形成されている。ここでいう１連用の取付枠とは、「ＪＩＳ  Ｃ８３７５」で規格化されている３個用の取付枠を意味しており、以下では、１連用の取付枠が左右方向に２個連接された寸法を「２連用」、３個連接された寸法を「３連用」と呼ぶ。すなわち、本実施形態の親機Ａは、上下方向に対向する一対の内側面にそれぞれ器具固定突起９が３個ずつ設けられた３連用のスイッチボックスＳＢを用いて壁面Ｗｓに取り付けられる。
【００２４】
具体的に説明すると、ボディ２は、図４に示すように、開口部の上下各端縁のそれぞれから互いに離れる向きに延設された一対の取付板１０を連続一体に有する。一対の取付板１０は、ボディ２の左右両端間の全長にわたって形成される。各取付板１０には、埋込型の配線器具をスイッチボックスＳＢに固定する際に用いられる取付枠（図示せず）と同様に、取付ねじを挿通するボックス用孔１１がそれぞれ複数個（ここでは２個）ずつ形成され、かつ上下方向においてボックス用孔１１より外側（つまり上側の取付板１０においては上方、下側の取付板１０においては下方）の部位には、後述する化粧プレートＰを器体１に固定する固定ねじ（図示せず）用のプレート用孔１３が複数個（ここでは３個）ずつ形成されている。さらに、各取付板１０の前面側には、左右方向の両端間にわたってリブ１２がそれぞれ立設される。リブ１２は、各ボックス用孔１１の周囲を上下方向における外側の一端部を除いてそれぞれ包囲するとともに、左右方向に並ぶボックス用孔１１の周囲に形成されたもの同士が連結された形に形成されている。プレート用孔１３は、上下方向においてリブ１２よりも外側に配置されている。
【００２５】
そして、ボディ２は、スイッチボックスＳＢを用いて壁面Ｗｓに取り付けられる埋込型の配線器具と同様に、壁内に設置されたスイッチボックスＳＢ内に後部を収める形で取付ねじを用いて当該スイッチボックスＳＢに固定されることにより壁面Ｗｓに取り付けられる。ここにおいて、ボックス用孔１１の周囲に形成されたリブ１２は、取付ねじを締め付けた際のボディ２の変形を抑制するようにボックス用孔１１の周囲を補強している。ここでは、スイッチボックスＳＢの取付窓の上下各端部にそれぞれ設けられた各３個の器具固定突起９のうち、左右両端の器具固定突起９におけるねじ孔８を使用する。
【００２６】
一方、カバー３は、ＬＣＤ６の表示面（前面）を前方に露出させる表示窓１５が貫設された枠体１６と、枠体１６の表示窓１５を覆う形で枠体１６の前面側に取着される保護板１７とを備える。保護板１７は、ポリカーボネート樹脂からなり表示窓１５に対応する部分が透明に形成されている。枠体１６は、図６（ａ）に示すように、左寄りの位置に表示窓１５を有しており、表示窓１５の右方にはスピーカ用小孔１９が多数形成されたスピーカ取付部２０と、後述する操作窓２１およびハンドル保持部２２とが形成されている。さらに、枠体１６において、表示窓１５の左下方にはマイク用小孔２３が形成され、マイク用小孔２３の右方つまり表示窓１５の下方には左右方向に長い矩形状に開口した操作窓２４が形成されている。保護板１７においてマイク用小孔２３と操作窓２４とのそれぞれに対応する部位は切り欠かれている。枠体１６において保護板１７が覆着される部位の上方および下方にはそれぞれ重ね合せ片１４が設けられている。各重ね合せ片１４は、枠体１６の左右両端間の全長にわたって形成され、重ね合せ片１４を覆う形で枠体１６の前面側に取着される一対の化粧板１８に設けた係合爪（図示せず）と係合する係合穴２５がそれぞれ複数個（ここでは３個）ずつ形成されている。
【００２７】
ボディ２とカバー３とは、枠体１６の左右両端部から後方に突出した結合爪２６を、ボディ２の左右両側壁における前端部であって互いに対向する位置に設けた結合穴２７に係合させることにより結合される。ここにおいて、枠体１６は、各取付板１０のリブ１２に対して上下各端縁が前後方向にそれぞれ突き合わされるように寸法が設定されており、各ボックス用孔１１に対応する位置には、各ボックス用孔１１の周囲に形成されたリブ１２の形状に合わせて切欠部２８がそれぞれ形成される。つまり、ボディ２において枠体１６により覆われる部分は両リブ１２の間に限定されることになり、枠体１６は、上下各端部に設けた重ね合せ片１４を各取付板１０の基部側の一部に重ねて覆着されることになる。ボックス用孔１１やプレート用孔１３については、ボディ２に枠体１６を取り付けた状態でも前方に露出する。ただし、枠体１６に化粧板１８が取着された状態では、ボックス用孔１１は化粧板１８に覆われることになる。
【００２８】
カバー３に設けられるハンドルＨ１〜Ｈ５としては、表示窓１５の下方に開口した操作窓２４内に配置される一対のハンドルＨ１，Ｈ２と、スピーカ取付部の下方に開口した操作窓２１内に配置される一対のハンドルＨ３，Ｈ４と、操作窓２１の下方に形成されたハンドル保持部２２に保持されるハンドルＨ５とがある。
【００２９】
操作窓２４内に配置される一対のハンドルＨ１，Ｈ２は、左右方向に並設されており、それぞれ回路ブロック７に設けられた明るさ調整用および音量調整用の各スイッチＳＷ１，ＳＷ２に対応する。各ハンドルＨ１，Ｈ２は器体１に固定される板ばね２９によってそれぞれ弾性保持される。したがって、板ばね２９を撓ませながら各ハンドルＨ１，Ｈ２をそれぞれ後方に押し込むことにより、明るさ調整用および音量調整用の各スイッチＳＷ１，ＳＷ２をそれぞれ操作することができる。明るさ調整用のスイッチＳＷ１はＬＣＤ６に表示する画像の明るさを調整するためのものであって、音量調整用のスイッチＳＷ２は通話時の音量を調整するためのものである。このように、明るさ調整用のスイッチＳＷ１がＬＣＤ６の周囲に設けられていると、使用者においては、明るさ調整用のスイッチＳＷ１がＬＣＤ６に関する設定を行うものであるということが容易に理解できるという利点がある。
【００３０】
ただ、このようにＬＣＤ６の周囲にスイッチＳＷ１を配置する場合には、器体１内におけるＬＣＤ６の周囲にスイッチＳＷ１を配置するための空間を確保する必要がある。そこで、本実施形態では、図４に示すように、各取付板１０においてカバー３に対向する部位に収納凹所３０を凹設することにより、ボディ２とカバー３との間に形成される空間を収納凹所３０の分だけ広げ、この収納凹所３０内にスイッチＳＷ１を配置する（図７（ｂ）参照）構成を採用している。つまり、プリント基板においてスイッチＳＷ１を実装した部分が収納凹所３０内に配置されることになる。ここで、収納凹所３０は、スイッチボックスＳＢの左右方向に隣り合った一対の器具固定突起９の間に相当する位置にそれぞれ形成されている。これにより、ボディ２とスイッチボックスＳＢとの間において左右方向に隣り合った一対の器具固定突起９の間に生じる隙間を有効利用することができる。要するに、本実施形態の構成によれば、スイッチボックスＳＢに取付可能な器体１のサイズを維持しながらも、ＬＣＤ６を小さくすることなくＬＣＤ６の周囲に空間を確保することができるから、ＬＣＤ６を小さくすることなくＬＣＤ６の周囲にスイッチＳＷ１を設けることが可能となる。
【００３１】
また、他の操作窓２１内に配置される一対のハンドルＨ３，Ｈ４は、左右方向に並設されており、それぞれ回路ブロック７に設けられたお引取り機能（詳しくは後述する）用および内線通話用の各スイッチＳＷ３，ＳＷ４に対応する。一対のハンドルＨ３，Ｈ４は、上端部が連結されることにより一体に形成されているが、個別に後方に撓むことにより各スイッチＳＷ３，ＳＷ４の個別操作を可能としている。さらに、ハンドル保持部２２に保持されるハンドルＨ５は、回路ブロック７に設けられた通話用のスイッチＳＷ５に対応する。このハンドルＨ５は所謂ピアノハンドルであって、後面の上端部に設けられた軸受（図示せず）に対して、図５（ａ）に示すようにハンドル保持部２２の前面側に突設された一対の保持突起３１を嵌め込むことにより、ハンドル保持部２２に枢着される。そして、ハンドル保持部２２に設けられた一対の抜止穴３２に対して、ハンドルＨ５の後面の下端部に設けられた抜止爪（図示せず）を挿入し係合させることにより、ハンドルＨ５の抜け止めが為される。ハンドルＨ５と通話用のスイッチＳＷ５との間には枠体１６が介在するが、枠体１６において通話用のスイッチＳＷ５に対応する位置は可撓性を有する可撓片３３とされており、ハンドルＨ５を後方に押し込むことにより可撓片３３を介して通話用のスイッチＳＷ５を操作することができる。
【００３２】
ところで、親機ＡをスイッチボックスＳＢに取り付けただけの状態では、図６に示すように、施工孔Ｗｈ内において親機Ａと壁材Ｗとの間に隙間が生じることになる。そこで、図７（ａ）に示すように、取付板１０の前面を覆う埋込型の配線器具用の化粧プレートＰが親機Ａに取り付けられる。化粧プレートＰは、カバー３の前面の周囲を包囲する枠状のプレート枠Ｐ１、およびカバー３とプレート枠Ｐ１との隙間を覆う化粧カバーＰ２とで構成される。プレート枠Ｐ１は取付板１０に設けたプレート用孔１３に固定ねじを螺合させることにより固定され、化粧カバーＰ２は後面に突設された係止爪（図示せず）をプレート枠Ｐ１に設けられた係止穴（図示せず）に係合させることによりプレート枠Ｐ１に取り付けられる。これにより、施工孔Ｗｈは親機Ａおよび化粧プレートＰによって塞がれることになる。なお、ここで用いる化粧プレートＰは３連用であって、図８（ａ）に示すように平面視において角部が直角に形成されたスクエア形と、図８（ｂ）に示すように角部が弧状に形成されたラウンド形とから選択される。化粧プレートＰには矩形状の窓孔Ｐｈが開口しており、化粧プレートＰの上下寸法Ｌ１は１２０ｍｍ、左右寸法Ｌ２は１６２ｍｍに設定されている。
【００３３】
ここで、本実施形態では、カバー３は化粧プレートＰの窓孔Ｐｈ内に収まるように覆着される。すなわち、取付板１０において、カバー３を取り付ける部分と、化粧プレートＰを取り付ける部分とがリブ１２を境に分かれており、前後方向においてカバー３と化粧プレートＰとが重なることはない。そして、本実施形態では、図９に示すように、壁面Ｗｓからのカバー３の前端縁の高さを壁面Ｗｓからの化粧プレートＰの窓孔Ｐｈの周縁の高さに揃えるように、壁面Ｗｓからの器体１の突出量を設定している。具体的には、カバー３の前端面と化粧カバーＰ２の前面における窓孔Ｐｈの周縁との前後方向のずれが２ｍｍ以内に収められる。さらに、枠体１６は、スピーカ取付部２０以外の部分がスピーカ取付部２０よりも後退した形状に形成されており、保護板１７と化粧板１８とハンドルＨ３〜Ｈ５とを取り付けた状態でカバー３全体と化粧板１８とハンドルＨ３〜Ｈ５との前端面が略面一になるようにしてある。ただし、明るさ調整用、音量調整用のハンドルＨ１，Ｈ２においては、操作面（前端面）の面積が他のハンドルＨ３〜Ｈ５よりも小さいので、操作し易くするためにカバー３の前端面から突出する寸法に形成してある。
【００３４】
次に、器体１内の構成について説明する。器体１内には、上述したようにスピーカ４およびマイクロフォン５、さらにＬＣＤ６と回路ブロック７とが収納される。回路ブロック７は、３枚のプリント基板（検出系基板３４、電源系基板３５、処理系基板３６）を備えており、３枚のプリント基板は、ボディ２の後壁側から、検出系基板３４、電源系基板３５、処理系基板３６の順に配置される。
【００３５】
検出系基板３４には、子機Ｂからの呼出を検出する子機呼出検出回路５４（図１２参照）等が設けられており、図９（ｄ）に示すように、ボディ２の後壁に貫設された信号端子配置孔３７（図４参照）から後方に露出する信号端子部３８が実装されている。信号端子部３８には子機Ｂおよび副親機Ｃにそれぞれ接続された各信号線Ｌｓが接続される。ただし、子機Ｂや副親機Ｃとの通信以外の機能（たとえば電気錠の施錠・解錠）を親機Ａに付加した場合には、信号端子部３８はこれらの機能を実現するために必要な入出力部として用いられる。つまり、信号端子部３８には、子機Ｂや副親機Ｃに接続された信号線Ｌｓ以外の信号線も接続することができる。本実施形態においては、信号端子部３８は最大１０本の信号線Ｌｓを接続可能であって、各信号線Ｌｓが挿入される電線挿入孔３９の近傍にそれぞれ各信号線Ｌｓの保持を解除する解除釦４０が設けられている。
【００３６】
電源系基板３５には、電源回路５６（図１２参照）等が設けられており、ボディ２の後壁に貫設された電源端子配置孔４１（図４参照）から後方に露出する電源端子部４２が実装されている。電源端子部４２には親機Ａに電源を供給するための電源線Ｌｐ（図１２参照）が接続される。図示する電源端子部４２は所謂速結端子であって、電源線Ｌｐを挿入するだけで電気的接続と機械的保持とが同時に完了する。
【００３７】
また、処理系基板３６には、上述した各スイッチＳＷ１〜ＳＷ５を有した操作回路６４（図１２参照）等が設けられており、さらにＬＣＤ６も実装される。具体的に説明すると、ＬＣＤ６は、ＬＣＤ６を保護するシールド板４３に保持された状態で、シールド板４３を処理系基板３６に固定することによって処理系基板３６に保持されることになる。シールド板４３は、外周縁からそれぞれ側方に突出するとともに先端部が前方に延設された複数個のばね片４４と、それぞれ板面の一部が切り起こされて成る複数個の弾接片４５とを有し、各ばね片４４の先端部をＬＣＤ６の外周面に当接させ、かつ各弾接片４５をＬＣＤ６の後面に当接させることによりＬＣＤ６を弾性保持する。これによりＬＣＤ６は、前面の周部を枠体１６の後面における表示窓１５の周囲に当接させる形で保持される。ＬＣＤ６の前面の周部と枠体１６の後面における表示窓１５の周囲との間には、たとえばゴム弾性を有する部材などを介在させてもよい。各スイッチＳＷ１〜ＳＷ５は、上述した各ハンドルＨ１〜Ｈ５に対応する位置にそれぞれ実装される。
【００３８】
ここで、検出系基板３４および電源系基板３５は、ねじ（図示せず）を用いてボディ２に固定される。そのため、ボディ２の後壁前面には、それぞれ検出系基板３４および電源系基板３５固定用のねじ孔が形成された複数個のボディ側ボス４６（図４参照）が突設されている。これに対して、処理系基板３６はねじ（図示せず）を用いてカバー３に固定される。そのため、枠体１６の後面において操作窓１５の下方には、それぞれ処理系基板３６固定用のねじ孔が形成された複数個（ここでは２個）のカバー側ボス４７（図５（ｂ）参照）が設けられている。さらに、枠体１６の後面において表示窓１５の左方には後方に突出する保持爪４８（図７（ｃ）参照）が設けられ、保持爪４８が処理系基板３６の左端縁に係合することにより処理系基板３６の左端部も枠体１６に保持されることになる。
【００３９】
ところで、ボディ２の取付板１０とスイッチボックスＳＢとは少なくとも壁材Ｗの厚み寸法分だけ離れているから、取付ねじを締め付けた際に、取付板１０がスイッチボックスＳＢとの間隔を縮めるように撓むことによってボディ２が変形することがある。ただし、本実施形態では処理系基板３６がカバー３に固定される構成を採用しているので、仮にボディ２が変形したとしても、カバー３に設けた各ハンドルＨ１〜Ｈ５と処理系基板３６に設けた各スイッチＳＷ１〜ＳＷ５との相対位置が変化することはない。つまり、ハンドルＨ１〜Ｈ５とスイッチＳＷ１〜ＳＷ５との相対位置がずれることによりスイッチＳＷ１〜ＳＷ５の操作に支障をきたすことはない。また、本実施形態では、処理系基板３６に保持されているＬＣＤ６もカバー３に固定されることになるから、仮にボディ２が変形したとしても、カバー３に対してＬＣＤ６が傾くことはない。つまり、カバー３とＬＣＤ６との間に不要な隙間が生じることはなく、当該隙間によって親機Ａの見映えが悪くなったり、当該隙間に塵埃が入り込んだりする不具合の発生を防止することができる。
【００４０】
さらに、枠体１６におけるスピーカ取付部２０の後面には、それぞれスピーカ固定用のねじ孔３４が形成された複数個（ここでは４個）のスピーカ固定用ボス４９（図５（ｂ）参照）が突設されており、スピーカ４はねじ（図示せず）を用いてカバー３に固定される。枠体１６の後面においてマイク用小孔２３の周囲には、マイクロフォン５の外周形状に合わせて突片５０（図５（ｂ）参照）が立設されており、マイクロフォン５はこの突片５０に囲まれた位置に配置される。
【００４１】
また、親機Ａを設置する際には信号線Ｌｓおよび電源線Ｌｐを親機Ａに接続する必要がある。親機Ａに接続される信号線Ｌｓおよび電源線Ｌｐは、壁内を通してスイッチボックスＳＢ内に引き込まれ、スイッチボックスＳＢ内において上述した信号端子部３８および電源端子部４２にそれぞれ接続されることになる。ここで、強電である電源線Ｌｐと弱電である信号線Ｌｓとが混触しないように、スイッチボックスＳＢ内において電源線Ｌｐを収納する空間と信号線Ｌｓを収納する空間とを隔離することが義務付けられている。そのため、図１０に示すように、スイッチボックスＳＢに取り付けられることによりスイッチボックスＳＢ内の空間を２分割する板状の絶縁セパレータＦを用いる。
【００４２】
本実施形態では、図１１に示すように、親機Ａにおけるボディ２の後面であって電源端子部４２と信号端子部３８との間の位置に、この絶縁セパレータＦの前端部が嵌合する位置決め溝５３が形成されている。絶縁セパレータＦは上下方向に沿って配置されるので、位置決め溝５３はボディ２の後面における上下両端間の全長にわたって形成される。これにより、親機ＡをスイッチボックスＳＢに固定した状態では、絶縁セパレータＦの前端部が器体１の後面に設けた位置決め溝５３に嵌合することになり（図７（ｃ）参照）、器体１の後面と絶縁セパレータＦの前端縁との間に隙間が生じることはない。したがって、電源線Ｌｐを収納する空間と信号線Ｌｓを収納する空間とが確実に隔離されることになる。また、親機Ａを設置する際に、絶縁セパレータＦがスイッチボックスＳＢにおいて位置決め溝５３に対応する位置以外の誤った位置に取り付けられていると、絶縁セパレータＦの前端縁が器体１の後面に当接し親機ＡをスイッチボックスＳＢに固定することはできないので、絶縁セパレータＦが誤った位置に取り付けられた状態で親機Ａを設置してしまう施工ミスがなくなるという利点もある。
【００４３】
次に、上述した回路ブロック７の概略構成について図１２を参照して説明する。検出系基板３４においては、信号線Ｌｓの回線電圧に基づいて子機Ｂからの呼出を検出する子機呼出検出回路５４と、信号線Ｌｓの回線電圧に基づいて子機Ｂからの再呼出を検出する子機再呼出検出回路５５とが設けられている。一方、電源系基板３５においては、電源線Ｌｐに接続され各回路への電力供給を行う電源回路５６と、子機Ｂに電力供給する子機給電回路５７とが設けられている。処理系基板３６においては、スピーカ４への出力信号を増幅するスピーカアンプ５８と、マイクロフォン５からの入力信号を増幅するマイクアンプ５９と、マイクロフォン５で集音された送話信号と子機Ｂからの受話信号とを比較し信号レベルが高いほうの信号を通過させることにより送話状態と受話状態とを切り換える通話切換回路６０とが設けられ、半二重の拡声通話（ハンズフリー通話）を実現している。さらに、処理系基板３６には、子機Ｂからの映像信号を復調する復調回路６１と、当該映像信号によりＬＣＤ６に画像を表示するＬＣＤ回路６２と、当該映像信号を記録する録画回路６３と、上述した各スイッチＳＷ１〜ＳＷ５を有した操作回路６４と、操作回路６４からの操作入力を受けるマイコン６５とが設けられている。
【００４４】
上述した構成の親機Ａを副親機Ｃおよび子機Ｂと共に用いることにより構築されるインターホンシステムの動作について、以下に簡単に説明する。
【００４５】
親機Ａは、来訪者により子機Ｂからの呼び出しがあった場合に、子機Ｂからの呼出音をスピーカ４から出力するとともに子機Ｂのカメラで撮像された映像をＬＣＤ６に表示する。そして、通話用のハンドルＨ５を押操作すると親機Ａにおいて子機Ｂとの通話が可能な状態になる。通話用のハンドルＨ５を再度押操作すれば子機Ｂとの通話を終了する。さらに、本実施形態の親機Ａは、所定の音（電話の着信音など）を子機Ｂから発生させるお引取り機能を備えており、子機Ｂとの通話を早急に終了したい場合などには、通話中にお引取り機能用のハンドルＨ３を押操作することによりお引取り機能を作動させることができる。また、内線通話用のハンドルＨ４を押操作すれば、親機Ａから副親機Ｃを呼び出し、その後、親機Ａと副親機Ｂとの間で通話可能な状態になる。
【００４６】
ところで、このインターホンシステムに用いる副親機Ｃは、器体１の大きさが親機Ａの器体１とは異なり、２連用のスイッチボックスＳＢに取付可能な寸法に形成されている。これにより、３連用のスイッチボックスＳＢを用いて副親機Ｃを設置する場合には、１連用の取付枠を用いて取付可能な他の埋込型の配線器具を副親機Ｃと共に当該スイッチボックスＳＢに取り付けることができる。副親機Ｃは室内における出入口付近に設置されることが多いので、たとえば、同じく室内の出入口付近に設置される照明用スイッチＧを副親機Ｃと共に設置することが考えられる（図２参照）。この場合には、照明用スイッチＧおよび副親機Ｃの設置時に壁面Ｗｓに設ける施工孔Ｗｈが１箇所ですむから施工が容易になり、かつ照明用スイッチＧと副親機Ｃとが別々に設置されている場合に比べて見映えがよくなるという利点がある。さらに、使用者においては、副親機Ｃによって子機Ｂとの通話中に、副親機Ｃの画面（ＬＣＤ６）から視線をほとんど動かさずに照明用スイッチＧを操作して室内の照明を点けることができる。
【００４７】
また、親機Ａを設置するために４連用のスイッチボックスＳＢを用いれば、１連用の取付枠を用いて取付可能な他の埋込型の配線器具を親機Ａと共に当該スイッチボックスＳＢに取り付けることができるから、１個のスイッチボックスＳＢを用いて親機Ａと照明用スイッチＧとを共に設置することも可能である。なお、副親機Ｃの基本構成は親機Ａと共通であるから副親機Ｃについて詳しい説明は省略する。
【図面の簡単な説明】
【００４８】
【図１】本発明の実施形態の構成を示す分解斜視図である。
【図２】同上の親機を用いたインターホンシステムの概略構成図である。
【図３】同上に用いるスイッチボックスを示す斜視図である。
【図４】同上のボディを示す斜視図である。
【図５】同上の枠体を示し、（ａ）は前方から見た斜視図、（ｂ）は後方から見た斜視図である。
【図６】同上の親機を示す斜視図である。
【図７】同上の親機を示し、（ａ）は正面図、（ｂ）は（ａ）のＸ−Ｘ断面図、（ｃ）は（ａ）のＹ−Ｙ断面図である。
【図８】同上に用いる化粧プレートを示す正面図である。
【図９】同上の親機を示し、（ａ）は上面図、（ｂ）は下面図、（ｃ）は側面図、（ｄ）は背面図である。
【図１０】同上の親機を示す斜視図である。
【図１１】同上の親機を背面から見た斜視図である。
【図１２】同上の構成を示すブロック図である。
【図１３】従来例を示す分解斜視図である。
【符号の説明】
【００４９】
１  器体
２  ボディ
３  カバー
８  ねじ孔
１０  取付板
１１  ボックス用孔
１２  リブ
１３  プレート用孔
１４  重ね合せ片
１８  化粧板
２８  切欠部
Ａ  親機（インターホン装置）
Ｂ  子機
Ｃ  副親機（インターホン装置）
Ｐ  化粧プレート
Ｐｈ  窓孔
ＳＢ  スイッチボックス
Ｗｓ  壁面
【図１】
2007028541.tif 000003
【図２】
2007028541.tif 000004
【図３】
2007028541.tif 000005
【図４】
2007028541.tif 000006
【図５】
2007028541.tif 000007
【図６】
2007028541.tif 000008
【図７】
2007028541.tif 000009
【図８】
2007028541.tif 000010
【図９】
2007028541.tif 000011
【図１０】
2007028541.tif 000012
【図１１】
2007028541.tif 000013
【図１２】
2007028541.tif 000014
【図１３】
2007028541.tif 000015